(57)【特許請求の範囲】
【請求項１】
直方体状を成すバッテリユニットと、底面に前記バッテリユニットを収容するための収容凹部を有した本体筐体とを備え、前記バッテリユニットの一側縁部と前記本体筐体との間に構成した係止手段を係止させることにより、前記本体筐体の収容凹部に前記バッテリユニットを着脱可能に装着した電子機器において、
前記本体筐体に形成し、前記バッテリユニットが前記本体筐体の収容凹部に装着された状態において前記バッテリユニットの一側縁部に位置する外側面を、指を掛けるための引掛面として部分的に外部に露出させる引掛用切欠部と、
前記バッテリユニットの外部に露出した外表面に前記引掛面にほぼ平行となる態様でスライド可能に配設し、前記引掛面に近接する方向に沿ってスライドさせた場合に前記係止手段の係止状態を解除する解除操作レバーと
を備え、
前記バッテリユニットはその一側縁部において中間位置となる部位に該一側縁部の全幅よりも長さの小さい薄板状の舌片部を有したものであり、
前記本体筐体の底面において前記バッテリユニットの舌片部に対応する部位に当該舌片部よりも長さの大きい凹状の引掛用切欠部を形成することにより、前記バッテリユニットの外側面を引掛面として外部に露出させることを特徴とする電子機器。
【請求項２】
前記引掛用切欠部の中央部に前記舌片部を配置させる態様でこれら引掛用切欠部及び舌片部を構成するとともに、前記バッテリユニットにおいて前記舌片部のいずれか一方の端部に偏倚した位置に前記解除操作レバーを配設し、偏倚した側で外部に露出されるバッテリユニットの引掛面に対して前記解除操作レバーを近接する方向に沿ってスライドさせた場合に前記係止手段の係止状態を解除させることを特徴とする請求項１に記載の電子機器。
【発明の詳細な説明】
【技術分野】
【０００１】
本発明は、バッテリユニットの一側縁部と本体筐体との間に構成した係止手段を係止させることにより、本体筐体の収容凹部にバッテリユニットを着脱可能に装着した電子機器に関するものである。
【背景技術】
【０００２】
ノートブック型のパーソナルコンピュータ装置のように可搬性を考慮した電子機器においては、電源としてバッテリユニットを用いるものが一般的である。バッテリユニットは、通常、係止手段を介して本体筐体の収容凹部に着脱可能に装着されており、係止手段による係止状態を解除することによって交換することが可能である。
【０００３】
係止手段は、例えばバッテリユニットの一側縁部に設けられた固定係止部と、本体筐体の対応する部位に設けられた可動係止部と、可動係止部を操作するための解除操作レバーとを備えており、固定係止部に対して可動係止部を係止させることにより両者の互いに離反する方向への移動を阻止するものである。
【０００４】
この種の電子機器では、例えばバッテリユニットの他側縁部を収容凹部に挿入係合させた後、バッテリユニットの一側縁部を収容凹部に挿入すれば、係止手段が係止状態となり、バッテリユニットを本体筐体に装着することができるようになる。
【０００５】
一方、解除操作レバーを所定の解除方向にスライド操作すると、可動係止部が移動することによって固定係止部との係止状態が解除されることになり、本体筐体からバッテリユニットを取り外すことが可能となる（例えば、特許文献１参照）。
【０００６】
【特許文献１】特開２００６−２６０２５５号公報
【発明の開示】
【発明が解決しようとする課題】
【０００７】
ところで、上記のような電子機器において実際にバッテリユニットを本体筐体から取り外す場合には、まず、解除操作レバーをバッテリユニットの一側縁部に沿ってスライド操作することにより係止手段を解除させる。この状態から本体筐体の底面に形成された係合用切欠部を介してバッテリユニットの一側縁部外表面に指や爪を掛けて押圧しながらバッテリユニットを手前側に引き起こす操作が必要となる。
【０００８】
ここで、電子機器のユニバーサルデザイン化を考慮すると、上述した操作を片手で行った場合にもバッテリユニットを本体筐体から容易に取り外せることが好ましい。しかしながら、特許文献１に記載された電子機器にあっては、解除操作レバーを解除方向にスライドさせる際に加える力の方向と、係合用切欠部を介してバッテリユニットを押圧する際に加える力の方向とが互いに離反することになる。このため、バッテリユニットに対して操作力を効率的に伝えることが困難であり、片手で操作した場合には、必ずしもバッテリユニットを容易に取り外すことができるとは言い難い。
【０００９】
本発明の目的は、上記実情に鑑みて、片手で操作した場合にもバッテリユニットを容易に取り外すことのできる電子機器を提供することにある。
【課題を解決するための手段】
【００１０】
上記目的を達成するため、本発明は、直方体状を成すバッテリユニットと、底面に前記バッテリユニットを収容するための収容凹部を有した本体筐体とを備え、前記バッテリユニットの一側縁部と前記本体筐体との間に構成した係止手段を係止させることにより、前記本体筐体の収容凹部に前記バッテリユニットを着脱可能に装着した電子機器において、前記本体筐体に形成し、前記バッテリユニットが前記本体筐体の収容凹部に装着された状態において前記バッテリユニットの一側縁部に位置する外側面を、指を掛けるための引掛面として部分的に外部に露出させる引掛用切欠部と、前記バッテリユニットの外部に露出した外表面に前記引掛面にほぼ平行となる態様でスライド可能に配設し、前記引掛面に近接する方向に沿ってスライドさせた場合に前記係止手段の係止状態を解除する解除操作レバーとを備え、前記バッテリユニットはその一側縁部において中間位置となる部位に該一側縁部の全幅よりも長さの小さい薄板状の舌片部を有したものであり、前記本体筐体の底面において前記バッテリユニットの舌片部に対応する部位に当該舌片部よりも長さの大きい凹状の引掛用切欠部を形成することにより、前記バッテリユニットの外側面を引掛面として外部に露出させることを特徴とする。
【００１１】
また、本発明の好ましい態様によれば、前記引掛用切欠部の中央部に前記舌片部を配置させる態様でこれら引掛用切欠部及び舌片部を構成するとともに、前記バッテリユニットにおいて前記舌片部のいずれか一方の端部に偏倚した位置に前記解除操作レバーを配設し、偏倚した側で外部に露出されるバッテリユニットの引掛面に対して前記解除操作レバーを近接する方向に沿ってスライドさせた場合に前記係止手段の係止状態を解除させることが望ましい。
【発明の効果】
【００１３】
本発明によれば、バッテリユニットに設けた解除操作レバーをバッテリユニットの引掛面に近接する方向に沿ってスライドさせた場合に係止手段の係止状態を解除するようにしているため、解除操作レバーを解除方向にスライドさせる際に加える力の方向と、引掛用切欠部を介してバッテリユニットを押圧する際に加える力の方向とが互いに交差するようになる。この結果、バッテリユニットに対して操作力を効率的に伝えることができ、片手で操作した場合にもバッテリユニットを本体筐体から容易に取り外すことが可能になる。
【発明を実施するための最良の形態】
【００１４】
以下に、添付図面を参照して、本発明に係る電子機器の好適な実施の形態について詳細に説明する。
【００１５】
図１〜図４は、本発明の実施の形態である電子機器を示したもので、いわゆるノートブック型のパーソナルコンピュータ（以下、「ノートＰＣ」という）と称される電子機器を例示している。このノートＰＣは、電源コード（図示せず）を通じて供給される商用電源の他、バッテリユニット１０から供給される電源によっても駆動することができるものである。
【００１６】
バッテリユニット１０は、図には明示していないが、内部にバッテリを収納したもので、図５に示すように、直方体状を成すユニット本体１１を有している。本実施の形態では、ユニット本体１１として、図５において縦横となる部分の寸法に対して高さ方向の寸法が十分に小さい薄型の直方体状を成すものを適用している。尚、以下においては便宜上、図５においてユニット本体１１の上方となる面を外表面１１ａ、ユニット本体１１の下方となる面を内表面１１ｂ、ユニット本体１１の前方の面を前側面１１ｃ、前側面１１ｃに平行となる後方の面を後側面１１ｄ、ユニット本体１１の左方の面を左端面１１ｅ、左端面１１ｅに平行となる右方の面を右端面１１ｆと称して説明を行う。
【００１７】
このユニット本体１１には、図１〜図５に示すように、前側面１１ｃに舌片部１２及び一対の固定係止部１３が設けてある。
【００１８】
舌片部１２は、ユニット本体１１の前側面１１ｃにおいて外表面１１ａ側に位置する部位から突設した矩形の薄板状を成す部分である。舌片部１２においてユニット本体１１の外表面１１ａ側に位置する面は、外表面１１ａと同一平面に構成してある。この舌片部１２は、ユニット本体１１の前側面１１ｃよりも小さい幅に形成してある。舌片部１２の一方の端面（以下、「右舌片面１２ａ」という）は、ユニット本体１１の右端面１１ｆの近傍において右端面１１ｆよりも僅かに左端面１１ｅ側に位置している。舌片部１２の他方の端面（以下、「左舌片面１２ｂ」という）は、ユニット本体１１の前側面１１ｃにおいてその中央部よりも僅かに左端面１１ｅ側となる部位に位置している。これら舌片部１２の右舌片面１２ａ及び左舌片面１２ｂは、それぞれユニット本体１１の前側面１１ｃに対してほぼ直角となる方向に延在している。
【００１９】
固定係止部１３は、図４及び図５に示すように、ユニット本体１１の前側面１１ｃから外方に向けて突設したもので、それぞれ固定側係止面１３ａ及び固定側案内面１３ｂを有している。固定側係止面１３ａは、固定係止部１３においてユニット本体１１の外表面１１ａ側に位置する部位に形成した平面であり、ユニット本体１１の外表面１１ａとほぼ平行となるように構成してある。一方の固定係止部１３に形成した固定側係止面１３ａと、他方の固定係止部１３に形成した固定側係止面１３ａとは、ユニット本体１１の外表面１１ａからの距離が互いに同一となるように設けてある。固定側案内面１３ｂは、固定係止部１３においてユニット本体１１の内表面１１ｂ側に位置する部位に形成した平面である。それぞれの固定係止部１３に形成した固定側案内面１３ｂは、いずれもユニット本体１１の右端面１１ｆ側から左端面１１ｅ側に向かうに従って漸次固定側係止面１３ａから離隔する方向に傾斜している。
【００２０】
ユニット本体１１の右端面１１ｆ側に近接した固定係止部１３は、舌片部１２の右舌片面１２ａよりも僅かに左端面１１ｅ側に設けてある。もう一方の固定係止部１３は、ユニット本体１１のほぼ中央となる部位において舌片部１２の左舌片面１２ｂよりも僅かに右端面１１ｆ側に設けてある。つまり、一対の固定係止部１３は、ユニット本体１１の前側面１１ｃにおいて舌片部１２の両端面１２ａ１２ｂよりも内方側となる部位に配設してある。ユニット本体１１の前側面１１ｃからの固定係止部１３の突出量は、舌片部１２の突出量よりも小さく設定してある。従って、ユニット本体１１を外表面１１ａ側から見た場合、一対の固定係止部１３は、いずれも舌片部１２によって覆われることになって視認することができない。
【００２１】
一方、上記バッテリユニット１０には、図１、図３、図４に示すように、ユニット本体１１の内部に可動ロッド１４が設けてある。可動ロッド１４は、横断面が矩形の角柱状を成し、ユニット本体１１の内部において前側面１１ｃ側となる部位に形成したロッド収容孔１５に配設したもので、外表面１１ａ及び前側面１１ｃの双方に対してほぼ平行となる態様で延在し、かつその延在方向に沿ってスライドすることが可能である。
【００２２】
ロッド収容孔１５は、ユニット本体１１の左端面１１ｅに開口する一方、右端面１１ｆ側に位置する端部が閉塞している。可動ロッド１４においてユニット本体１１の左端面１１ｅ側に位置する端部は、ロッド収容孔１５の開口を介して外部に突出しており、係止突部１６を構成している。係止突部１６は、可動ロッド１４がスライドした場合に左端面１１ｅに対して進退移動することが可能である。この係止突部１６には、図５に示すように、ロッド案内面１６ａが設けてある。ロッド案内面１６ａは、可動ロッド１４においてユニット本体１１の内表面１１ｂ側に位置する部分に形成した平面であり、先端側に向けてユニット本体１１の内表面１１ｂから漸次遠ざかる方向に傾斜している。可動ロッド１４においてユニット本体１１の右端面１１ｆ側に位置する端部には、図１に示すように、ロッド収容孔１５の閉塞端部との間に可動ロッド用バネ１７が介在させてある。可動ロッド用バネ１７は、ユニット本体１１の左端面１１ｅから可動ロッド１４の係止突部１６を常時突出する方向に押圧するものである。
【００２３】
また、可動ロッド１４には、解除操作レバー１８ａ、補助解除操作レバー１８ｂ及び解除押圧片１９が設けてある。解除操作レバー１８ａは、可動ロッド１４においてユニット本体１１の右端面１１ｆに近接する部位に設けた操作部であり、補助解除操作レバー１８ｂは、可動ロッド１４においてユニット本体１１の左端面１１ｅに近接する部位に設けた操作部である。これら解除操作レバー１８ａ及び補助解除操作レバー１８ｂは、ユニット本体１１に設けた図示せぬスライド孔を介してユニット本体１１の外表面１１ａに露出しており、ユニット本体１１の外部から操作した場合に可動ロッド１４をその延在方向に沿ってスライドさせることが可能である。図１からも明らかなように、解除操作レバー１８ａは、ユニット本体１１の前側面１１ｃよりも僅かに後側面１１ｄ側であって、舌片部１２の右舌片面１２ａよりも僅かに左端面１１ｅ側となる部位に配置してある。つまり、解除操作レバー１８ａは、ユニット本体１１の外表面１１ａにおいて右舌片面１２ａ及び前側面１１ｃよりも中央部寄りとなる部位に配設してある。
【００２４】
解除押圧片１９は、可動ロッド１４においてユニット本体１１の右端面１１ｆ側に近接する部位に設けた突出片であり、ユニット本体１１の前側面１１ｃに設けた窓孔１９ａから外部に突出している。この窓孔１９ａは、ユニット本体１１の右端面１１ｆ側に配設した固定係止部１３よりも外表面１１ａ側に位置する部位において可動ロッド１４の延在方向に沿って延在した開口であり、可動ロッド１４がスライドした場合に解除押圧片１９の連動したスライドを許容するものである。
【００２５】
上述した可動ロッド１４は、通常状態において可動ロッド用バネ１７の作用により、係止突部１６がユニット本体１１の左端面１１ｅから最も突出した状態に保持されている。この状態においては、図１に示すように、可動ロッド１４の解除操作レバー１８ａ及び補助解除操作レバー１８ｂがそれぞれユニット本体１１の外表面１１ａに設けた凹所において最も左端面１１ｅ側に位置している。この状態から、可動ロッド用バネ１７の押圧力に抗して解除操作レバー１８ａもしくは補助解除操作レバー１８ｂを右端面１１ｆ側に移動させれば、可動ロッド１４が同方向にスライドし、ユニット本体１１の左端面１１ｅに対して係止突部１６を退行移動させることができる。
【００２６】
一方、ノートＰＣの本体筐体２０は、バッテリユニット１０よりも大きな高さ方向寸法を有したもので、図１〜図４に示すように、その底面２１に収容凹部３０及び係合用切欠部（引掛用切欠部）４０を有している。
【００２７】
収容凹部３０は、上述したバッテリユニット１０のユニット本体１１を外表面１１ａが外部に露出した姿勢で嵌合収容することのできる寸法に形成した凹所であり、本体筐体２０の底面２１において手前側となる部位に形成してある。
【００２８】
係合用切欠部４０は、収容凹部３０よりも本体筐体２０の奥方側となる部位に設けた凹状部分である。この係合用切欠部４０は、収容凹部３０にバッテリユニット１０のユニット本体１１を収容させた場合にユニット本体１１から突設した舌片部１２を収容する部分である。図１からも明らかなように、本実施の形態では、係合用切欠部４０において本体筐体２０の左右方向に沿った長さが、舌片部１２において右舌片面１２ａから左舌片面１２ｂまでの距離よりも大きな長さを有するように構成してある。また係合用切欠部４０の位置は、収容凹部３０にバッテリユニット１０の本体筐体２０を嵌合させた場合に舌片部１２が本体筐体２０の左右方向においてほぼ中央となる部位に配置されるように構成してある。従って、本体筐体２０に形成した係合用切欠部４０の開口縁４０ａ，４０ｂは、舌片部１２の右舌片面１２ａ及び左舌片面１２ｂの双方からそれぞれ距離を確保した位置に配置されることになる。
【００２９】
また、ノートＰＣの本体筐体２０には、ロッド当接孔５０及び一対の可動係止部６０が設けてある。ロッド当接孔５０は、図１及び図７に示すように、収容凹部３０にバッテリユニット１０のユニット本体１１を嵌合収容させた場合にユニット本体１１の左端面１１ｅに対向する壁面（以下、「左壁面３０ａ」といい、収容凹部３０において左壁面３０ａに対向する壁面を「右壁面３０ｂ」という）に形成した孔であり、矩形状の開口を有している。ロッド当接孔５０において本体筐体２０の底面２１側に位置する係止用開口縁５１は、本体筐体２０の底面２１に沿って延在し、かつ収容凹部３０にバッテリユニット１０のユニット本体１１を嵌合収容させた場合にユニット本体１１の左端面１１ｅから突出した可動ロッド１４の係止突部１６に当接する高さ位置に形成してある。
【００３０】
可動係止部６０は、バッテリユニット１０に形成した一対の固定係止部１３とによって係止手段を構成するための要素である。それぞれの可動係止部６０は、図２及び図６に示すように、収容凹部３０において本体筐体２０の奥方側に位置する壁面（以下、「奥壁面３０ｃ」といい、収容凹部３０において奥壁面３０ｃに対向する壁面を「前壁面３０ｄ」という）と係合用切欠部４０の底壁との会合部に形成した一対の切欠３１に配設してある。切欠３１は、収容凹部３０にバッテリユニット１０のユニット本体１１を嵌合収容させた場合に固定係止部１３のそれぞれに対応する部位に位置し、各固定係止部１３を収容することができるように構成したものである。
【００３１】
各可動係止部６０には、可動側係止面６０ａ及び可動側案内面６０ｂが設けてある。可動側係止面６０ａは、可動係止部６０において収容凹部３０の底壁３０ｅに対向する向きに構成した平面であり、本体筐体２０の底面２１と平行となるように構成してある。一方の可動係止部６０に形成した可動側係止面６０ａと、他方の可動係止部６０に形成した可動側係止面６０ａとは、本体筐体２０の底面２１からの距離が互いに同一となるように設けてある。可動側案内面６０ｂは、可動係止部６０において係合用切欠部４０の開口側に位置する部位に形成した平面である。それぞれの可動係止部６０に形成した可動側案内面６０ｂは、いずれも収容凹部３０の左壁面３０ａ側から右壁面３０ｂ側に向かうに従って漸次可動側係止面６０ａから離隔する方向に傾斜している。
【００３２】
これら一対の可動係止部６０は、本体筐体２０の内部に設けた連結ロッド６１によって相互に連結してある。連結ロッド６１は、収容凹部３０の奥壁面３０ｃに近接する部位に本体筐体２０の底面２１及び奥壁面３０ｃに対してほぼ平行となる態様で延在し、かつその延在方向に沿ってスライド可能に配設してある。可動係止部６０の相互間隔は、バッテリユニット１０のユニット本体１１に設けた固定係止部１３の相互間隔と同一である。従って、一方の固定係止部１３に形成した固定側係止面１３ａを一方の可動係止部６０に形成した可動側係止面６０ａに当接させた場合に、他方の固定係止部１３に形成した固定側係止面１３ａを他方の可動係止部６０に形成した可動側係止面６０ａに当接させることができる。上述した連結ロッド６１は、本体筐体２０との間に介在させた連結ロッド用バネ６２の押圧力によって常時収容凹部３０の左壁面３０ａ側に位置した状態に保持されている。この場合、図７に示すように、可動係止部６０の各可動側案内面６０ｂは、本体筐体２０の収容凹部３０にバッテリユニット１０のユニット本体１１を嵌合収容させる際に固定係止部１３の各固定側案内面１３ｂに当接することのできる位置に配置されることになる。
【００３３】
上記のように構成したノートＰＣにおいて、本体筐体２０の収容凹部３０にバッテリユニット１０を装着する場合には、まず、図４に示すように、バッテリユニット１０の後側面１１ｄ側に位置する部分を先に収容凹部３０に収容させ、前壁面３０ｄ側に係合させる。例えば、図示の例では、バッテリユニット１０の後側面１１ｄに設けた突部１０Ｔを収容凹部３０の前壁面３０ｄと底壁３０ｅに形成した係合用切欠３０Ｔに挿入してバッテリユニット１０の後側面１１ｄ側に位置する部分を収容凹部３０に係合させるようにしている。
【００３４】
この状態から、バッテリユニット１０の後側面１１ｄ部分を支点としてバッテリユニット１０の前側面１１ｃを収容凹部３０に近接させると、やがて図７に示す状態から図８に示すように、固定係止部１３の固定側案内面１３ｂがそれぞれ可動係止部６０の対応する可動側案内面６０ｂに当接した状態となる。これと同時に、バッテリユニット１０においてユニット本体１１の左端面１１ｅから突出した可動ロッド１４のロッド案内面１６ａが本体筐体２０の底面２１において収容凹部３０の左壁面３０ａとの会合稜部に当接した状態となる。
【００３５】
この状態からさらにバッテリユニット１０の前側面１１ｃを収容凹部３０に近接させると、図９に示すように、固定係止部１３の固定側案内面１３ｂと可動係止部６０の可動側案内面６０ｂとの傾斜作用にって可動係止部６０が連結ロッド用バネ６２の押圧力に抗して収容凹部３０の右壁面３０ｂ側にスライドするとともに、ロッド案内面１６ａの傾斜作用によってバッテリユニット１０の可動ロッド１４が可動ロッド用バネ１７の押圧力に抗してバッテリユニット１０の右端面１１ｆ側にスライドする。これらの結果、バッテリユニット１０のユニット本体１１において前側面１１ｃ側に位置する部分が収容凹部３０に移動し、ユニット本体１１の全体が収容凹部３０に嵌合収容されることになる。
【００３６】
ユニット本体１１の全体が収容凹部３０に嵌合収容された場合には、固定係止部１３の固定側案内面１３ｂと可動係止部６０の可動側案内面６０ｂとの当接状態が解除されるとともに、可動ロッド１４の係止突部１６がロッド当接孔５０に対向することによってロッド案内面１６ａと本体筐体２０との当接状態が解除される。これにより、図１０に示すように、連結ロッド用バネ６２の弾性復元力によって連結ロッド６１が収容凹部３０の左壁面３０ａ側にスライドし、これに伴って可動係止部６０がそれぞれ収容凹部３０の左壁面３０ａ側に移動するため、可動係止部６０の可動側係止面６０ａが固定係止部１３の固定側係止面１３ａに対向した状態となる。これと同時に可動ロッド用バネ１７の弾性復元力によって可動ロッド１４がバッテリユニット１０の左端面１１ｅ側にスライドし、これに伴って可動ロッド１４の係止突部１６がロッド当接孔５０に進入した状態となる。
【００３７】
この状態においては、バッテリユニット１０に設けた固定係止部１３の固定側係止面１３ａが可動係止部６０の可動側係止面６０ａに当接する。また、可動ロッド１４の係止突部１６がロッド当接孔５０の内面に当接する。従って、バッテリユニット１０の前側面１１ｃ側に位置する部分の収容凹部３０から脱落する方向への移動が阻止されることになり、バッテリユニット１０が本体筐体２０の収容凹部３０に装着された状態となる。また、図１０に示すように、この装着状態においてバッテリユニット１０の可動ロッド１４に設けた解除押圧片１９は、収容凹部３０の右壁面３０ｂ側に設けた可動係止部６０の可動側案内面６０ｂに当接した状態となっている。尚、固定係止部１３及び可動係止部６０は、いずれもバッテリユニット１０に設けた舌片部１２によって覆われることになり、外部から視認されることはない。
【００３８】
一方、上述した状態から解除操作レバー１８ａもしくは補助解除操作レバー１８ｂを操作し、可動ロッド用バネ１７の押圧力に抗して可動ロッド１４をバッテリユニット１０の右端面１１ｆ側にスライドさせると、可動ロッド１４の係止突部１６が縮退し、収容凹部３０のロッド当接孔５０から逸脱することになる。
【００３９】
これと同時に可動ロッド１４のスライドに伴って解除押圧片１９がバッテリユニット１０の右端面１１ｆ側に移動するため、収容凹部３０の右壁面３０ｂ側に設けた可動係止部６０が可動側案内面６０ｂを介して押圧される。これにより、連結ロッド用バネ６２の押圧力に抗して収容凹部３０の右壁面３０ｂ側にスライドすることになり、一対の可動係止部６０がそれぞれ収容凹部３０の右壁面３０ｂ側にスライドする。
【００４０】
これらの結果、バッテリユニット１０の前側面１１ｃ側に位置する部分の係止状態が解除され、さらに解除押圧片１９とこれに当接する可動側案内面６０ｂとの傾斜作用により、バッテリユニット１０の前側面１１ｃ側に位置する部分が収容凹部３０から押し出されるようになる。従って、その後にバッテリユニット１０の後側面１１ｄに設けた突部１０Ｔを収容凹部３０の前壁面３０ｄと底壁面に形成した係合用切欠３０Ｔから逸脱させれば、本体筐体２０からバッテリユニット１０を取り外すことができる。
【００４１】
ここで、上述したノートＰＣにおいては、図１に明示するように、本体筐体２０の収容凹部３０にバッテリユニット１０を装着した場合、本体筐体２０に形成した係合用切欠部４０により、ユニット本体１１の前側面１１ｃにおいて外表面１１ａに近接し、かつ舌片部１２の右舌片面１２ａよりも右端面１１ｆ側に位置した部位（以下、「係合面（引掛面）１１ｃ′」という）が外部に露出することになる。この係合面１１ｃ′は、バッテリユニット１０に設けた解除操作レバー１８ａをバッテリユニット１０の右端面１１ｆ側にスライドさせた場合、つまり固定係止部１３と可動係止部６０との係止状態並びに可動ロッド１４の係止突部１６とロッド当接孔５０との係止状態を解除する方向（以下、「解除方向」という）にスライドさせた場合、解除操作レバー１８ａが近接するものである。
【００４２】
従って、図１１に示すように、例えば左手の親指によって解除操作レバー１８ａを解除方向にスライドさせるとともに、係合用切欠部４０を介して係合面１１ｃ′に左手の人差し指や爪を掛けて押圧すれば、解除操作レバー１８ａを解除方向にスライドさせる際に加える力の方向Ａと、係合用切欠部４０を介してバッテリユニット１０を押圧する際に加える力の方向Ｂとが互いに交差するようになる。この結果、バッテリユニット１０に対して操作力を効率的に伝えることができ、左手だけで操作した場合にもバッテリユニット１０を引き上げて本体筐体２０から容易に取り外すことが可能になる。
【００４３】
また同様に、図１２に示すように、本体筐体２０の角度を変え、例えば右手の親指を係合面１１ｃ′に掛けて押圧するとともに、右手の人差し指によって解除操作レバー１８ａを解除方向にスライドさせた場合にも、解除操作レバー１８ａを解除方向にスライドさせる際に加える力の方向Ｃと、係合用切欠部４０を介してバッテリユニット１０を押圧する際に加える力の方向Ｄとが互いに交差するようになる。従って、この場合にも、バッテリユニット１０に対して操作力を効率的に伝えることができ、右手だけで操作した場合にもバッテリユニット１０を引き上げて本体筐体２０から容易に取り外すことが可能になる。
【００４４】
もちろん、一般的なノートＰＣのように、両手でバッテリユニット１０を取り外すことも可能である。この場合には、ユニット本体１１の前側面１１ｃにおいて外表面１１ａに近接し、かつ舌片部１２の左舌片面１２ｂよりも左端面１１ｅ側に位置した部位に右手の指や爪を掛けて押圧しながら左手で解除操作レバー１８ａを解除方向にスライドさせても良いし、右手で補助解除操作レバー１８ｂを解除方向にスライドさせながら左手の指や爪を係合面１１ｃ′に掛けて押圧するようにしても良い。
【００４５】
尚、上述した実施の形態では、電子機器としてノートＰＣを例示しているが、本体筐体の底面に収容凹部を有し、この収容凹部に対してバッテリユニットを着脱可能に装着するように構成した電子機器であれば、必ずしもノートＰＣに限らない。
【００４６】
また、上述した実施の形態では、本体筐体２０にのみ係合用切欠部４０を形成することによってバッテリユニット１０の一側縁部に位置する前側面１１ｃを係合面１１ｃ′として外部に露出させるようにしているが、バッテリユニットにのみ係合用切欠を設けて係合面を露出させても良いし、両者に係合用切欠を設けて係合面を露出させることも可能である。
【図面の簡単な説明】
【００４７】
【図１】本発明の実施の形態である電子機器の底面を示す外観図である。
【図２】図１に示した電子機器において本体筐体からバッテリユニットを取り外した状態を示す図である。
【図３】図１に示した電子機器の断面側面図である。
【図４】図３に示した電子機器において本体筐体の収容凹部に対してバッテリユニットを着脱する状態を示した断面側面図である。
【図５】図１に示した電子機器のバッテリユニットを示す斜視図である。
【図６】図１に示した電子機器において本体筐体の要部を示す斜視図である。
【図７】図１に示した電子機器において本体筐体の収容凹部からバッテリユニットを取り外した状態を概念的に示す説明図である。
【図８】図１に示した電子機器において本体筐体の収容凹部にバッテリユニットを収容させる途中の状態を概念的に示す説明図である。
【図９】図１に示した電子機器において本体筐体の収容凹部にバッテリユニットを収容させる途中の状態を概念的に示す説明図である。
【図１０】図１に示した電子機器において本体筐体の収容凹部にバッテリユニットを収容させた状態を概念的に示す説明図である。
【図１１】図１に示した電子機器において左手で本体筐体からバッテリユニットを取り外す場合の操作例を示す図である。
【図１２】図１に示した電子機器において右手で本体筐体からバッテリユニットを取り外す場合の操作例を示す図である。
【符号の説明】
【００４８】
１０    バッテリユニット
１１ｃ′    係合面（引掛面）
１２    舌片部
１３    固定係止部（係止手段）
１６    係止突部
１８ａ    解除操作レバー
２０    本体筐体
２１    底面
３０    収容凹部
４０    係合用切欠部（引掛用切欠部）
６０    可動係止部（係止手段）
【図１】
0004808223.tif 000002
【図２】
0004808223.tif 000003
【図３】
0004808223.tif 000004
【図４】
0004808223.tif 000005
【図５】
0004808223.tif 000006
【図６】
0004808223.tif 000007
【図７】
0004808223.tif 000008
【図８】
0004808223.tif 000009
【図９】
0004808223.tif 000010
【図１０】
0004808223.tif 000011
【図１１】
0004808223.tif 000012
【図１２】
0004808223.tif 000013